(57)【要約】【課題】押圧操作部材と回動操作部材から成る操作部構造であって、部品点数が少ない操作部構造を提供する。【解決手段】シャッターボタンユニット３４は、中央ボタン４０、回動レバー４２、基台４４、クリック板４６から成り、回動レバー４２は基台４４を挟んでクリック板４６に固定され、中央ボタン４０は基台４４を挟んでクリック板４６に係合される。【選択図】    図２
2006179314.tif 000002
【特許請求の範囲】
【請求項１】
基台と、
押圧操作されることによって前記基台に対して押圧方向に移動する押圧操作部材と、
回動操作されることによって前記基台に対して回動方向に移動する回動操作部材と、
前記基台に対して前記回動操作部材の反対側に配置され、前記回動操作部材とともに回動し、クリック動作によって前記回動操作部材を位置決めするクリック部材と、
を備え、前記クリック部材は、前記回動操作部材に取り付けられるとともに前記押圧操作部材に係合され、前記回動操作部材及び前記押圧操作部材の前記基台からの抜け止め手段として兼用されることを特徴とする操作部構造。
【請求項２】
前記クリック部材は、前記回動操作部材の回動位置を電気的に検出するための電気接触片を有することを特徴とする請求項１に記載の操作部構造。
【請求項３】
前記回動操作部材は略リング状に形成され、該回動操作部材の内周面にはねじ固定部が突出形成されるとともに、
前記クリック部材は、前記回動操作部材のねじ固定部にねじによって固定されることを特徴とする請求項１又は２に記載の操作部構造。
【請求項４】
前記ねじ止め部は、前記回動操作部材を回動操作することによって、前記押圧操作部材の押圧操作を機械的にロックするロック位置に配置されることを特徴とする請求項３に記載の操作部構造。
【請求項５】
基台と、
押圧操作されることによって前記基台に対して押圧方向に移動する押圧操作部材と、
回動操作されることによって前記基台に対して回動方向に移動する回動操作部材と、
前記基台に対して前記回動操作部材の反対側に配置され、前記回動操作部材とともに回動し、前記回動操作部材の位置を電気的に検出するための電気接触部材と、
を備え、前記電気接触部材は、前記回動操作部材に取り付けられ、前記回動操作部材の前記基台からの抜け止め手段として兼用されることを特徴とする操作部構造。
【発明の詳細な説明】
【技術分野】
【０００１】
本発明は操作部構造に係り、特に電子スチルカメラのシャッターボタンとして使用される操作部構造に関する。
【背景技術】
【０００２】
電子スチルカメラの操作部構造として、押圧式のボタンと回動式のダイヤルを組み合わせたものが使用されている。例えば、特許文献１には、中央の押圧ボタンと、その周囲の回動ダイヤルとを備えた操作部構造が記載されている。この操作部構造は、回動ダイヤルが基台を挟んで保持部材に係合保持されており、この保持部材にスライド式の電気接触片が取り付けられている。そして、回動ダイヤルを回動操作することによって、電気接触片が回動して基板上のパターンに摺動する。これにより、所望のパターンが短絡され、動作モードの設定や押圧ボタンのロックが行われる。
【特許文献１】特開２００３−１６８７９号公報
【発明の開示】
【発明が解決しようとする課題】
【０００３】
ところで、特許文献１は、操作部構造の部品点数が多いため、装置全体が大型化するという問題や、組立工数が増加するという問題があった。また、特許文献１は、回動ダイヤルと保持部材の固定強度、さらには保持部材と電気接触片の固定強度が弱く、ガタツキが発生して故障しやすいという問題があった。
【０００４】
本発明はこのような事情に鑑みてなされたもので、部品点数が少ない操作部構造を提供することを目的とする。
【課題を解決するための手段】
【０００５】
請求項１に記載の発明は前記目的を達成するために、基台と、押圧操作されることによって前記基台に対して押圧方向に移動する押圧操作部材と、回動操作されることによって前記基台に対して回動方向に移動する回動操作部材と、前記基台に対して前記回動操作部材の反対側に配置され、前記回動操作部材とともに回動し、クリック動作によって前記回動操作部材を位置決めするクリック部材と、を備え、前記クリック部材は、前記回動操作部材に取り付けられれるとともに前記押圧操作部材に係合され、前記回動操作部材及び前記押圧操作部材の前記基台からの抜け止め手段として兼用されることを特徴とする。
【０００６】
請求項１に記載の発明によれば、回動操作部材をクリック部材に取り付けるとともに押圧操作部材にクリック部材を係合させるようにしたので、クリック部材が押圧操作部材と回動操作部材の抜け止め手段として兼用される。したがって、押圧操作部材と回動操作部材の抜け止め部材を別途設ける必要がなく、部品点数を減少させることができる。これにより、組立工数を減らすことができるとともに、装置の小型化を図ることができる。
【０００７】
請求項２に記載の発明は請求項１の発明において、前記クリック部材は、前記回動操作部材の回動位置を電気的に検出するための電気接触片を有することを特徴とする。
【０００８】
請求項３に記載の発明は請求項１又は２の発明において、前記回動操作部材は略リング状に形成され、該回動操作部材の内周面にはねじ固定部が突出形成されるとともに、前記クリック部材は、前記回動操作部材のねじ固定部にねじによって固定されることを特徴とする。したがって、請求項３の発明によれば、ねじ固定なので、溶着や接着に比べて、大きな強度を安定して確保することができ、ガタツキの発生を防止することができる。また、回動操作部材のねじ固定部を突出形成したので、回動操作部材を小さく形成した場合にもねじ固定部の肉厚を確保することができる。
【０００９】
請求項４に記載の発明は請求項３の発明において、前記ねじ止め部は、前記回動操作部材を回動操作することによって、前記押圧操作部材の押圧操作を機械的にロックするロック位置に配置されることを特徴とする。したがって、ねじ固定部が機械的なロック手段を兼用しており、操作部構造の部品点数をさらに減少させることができる。
【００１０】
請求項５に記載の発明は前記目的を達成するために、基台と、押圧操作されることによって前記基台に対して押圧方向に移動する押圧操作部材と、回動操作されることによって前記基台に対して回動方向に移動する回動操作部材と、前記基台に対して前記回動操作部材の反対側に配置され、前記回動操作部材とともに回動し、前記回動操作部材の位置を電気的に検出するための電気接触部材と、を備え、前記電気接触部材は、前記回動操作部材に取り付けられ、前記回動操作部材の前記基台からの抜け止め手段として兼用されることを特徴とする。
【００１１】
請求項５の発明によれば、回動操作部材を電気接触部材に取り付けるようにしたので、電気接触部材が回動操作部材の抜け止め手段として兼用される。したがって、回動操作部材の抜け止め部材を別途設ける必要がなく、部品点数を減少させることができる。これにより、組立工数を減らすことができるとともに、装置の小型化を図ることができる。
【発明の効果】
【００１２】
本発明に係る操作部構造によれば、クリック部材や電気接触部材を回動操作部材に取り付けて、回動操作部材の抜け止め手段として兼用するようにしたので、回動操作部材の抜け止め部材を別途設ける必要がなく、部品点数を減少させることができる。これにより、組立工数を減らすことができるとともに、装置の小型化を図ることができる。
【発明を実施するための最良の形態】
【００１３】
以下添付図面に従って本発明に係る操作部構造の好ましい実施の形態について説明する。
【００１４】
図１は、本発明に係る操作部構造がシャッターボタンに適用されたカメラ１０の斜視図である。同図に示すカメラ１０は、被写体像を撮影レンズ１２を介して固体撮像素子に結像し、被写体像を電子データとして取得するデジタルカメラである。カメラ１０のカメラ本体１４の前部には、撮影レンズ１２を保持するレンズ鏡胴１６が設けられ、レンズ鏡胴１６に回動自在に設けられたフォーカスリング１８を手動で回動させることにより撮影レンズ１２のフォーカスレンズが移動されて合焦操作される。
【００１５】
また、カメラ本体１４の上部には、外付けストロボ装置が取り付けられるホットシュー２０が設けられ、ホットシュー２０の前方には、ポップアップ式のストロボ２２がカメラ本体１４に起伏自在に設けられている。このストロボ２２は、ポップアップボタン２４を押圧操作することにより、カメラ本体１４側との係合が解除されて起立し、そのストロボ発光部が前方に向く。さらに、カメラ本体１４の上面には、撮影モード選択ダイヤル２６、コマンドダイヤル２８が近接配置される。
【００１６】
カメラ本体１４の背面には不図示の電子ビューファインダが設けられ、カメラ本体１４の側面にはスピーカ３０、ストラップ取付部３２が配置されている。
【００１７】
カメラ本体１４のグリップ部３３の上面には、本発明に係る操作部構造が適用されたシャッターボタンユニット３４が配設されている。図２は、シャッターボタンユニット３４の構造を示す分解斜視図であり、図３は、シャッターボタンユニット３４の縦断面図である。
【００１８】
これらの図に示すように、シャッターボタンユニット３４は、中央ボタン（押圧操作ボタンに相当）４０、回動レバー（回動操作部材に相当）４２、基台４４、クリック板４６（クリック部材に相当）、及びスイッチユニット４８で構成される。
【００１９】
基台４４は、図１のカメラ本体１４のケースを成す部材であり、中央ボタン４０の軸部５０が挿通される貫通孔４４Ａと、その貫通孔４４Ａの周囲に所定の角度範囲で円弧状に形成された一対のガイド孔４４Ｂ、４４Ｂを備えている。貫通孔４４Ａには切欠き溝４４Ｃが形成されており、この切欠き溝４４Ｃに、軸部５０に突出形成された突条部５０Ｃが係合され、中央ボタン４０の回転が防止される。基台４４の裏面には、クリック溝４４Ｄ、４４Ｄ…が形成されており、このクリック溝４４Ｄ、４４Ｄ…にクリック板４６の板ばね部４６Ｄ、４６Ｄが係合されることによってクリック感が得られる。
【００２０】
回動レバー４２は略リングに形成され、基台４４に回動自在に支持される。回動レバー４２には摘まみ部５４が外周側に突出形成され、この摘まみ部５４によってユーザーが回動レバー４２を回動操作できるようになっている。また、回動レバー４２にはネジ固定部５６、５６が内周面と下面に対して突出形成されている。すなわち、ネジ固定部５６、５６は、回動レバー４２の内周面に突出し、且つ、回動レバー４２の下面に突出して形成されている。このネジ固定部５６、５６は、回動レバー４２を基台４４に取り付けた際に基台４４のガイド孔４４Ｂ、４４Ｂに挿入される。ネジ固定部５６、５６には、雌ねじ５６Ａ、５６Ａが形成され、この雌ねじ５６Ａ、５６Ａに後述のねじ６０、６０が螺合される。
【００２１】
クリック板４６は金属板によって構成され、その中央部分には中央ボタン４０の軸部５０が挿通される挿通孔４６Ａが略半円状に形成されている。この挿通孔４６Ａは、後述の軸部５０の先端のつば部５０Ｆを挿通するための切欠き４６Ｆを備えている。クリック板４６の外周部分には、板ばね部４６Ｃ、４６Ｃが周方向に延設されており、その先端には係合部４６Ｄ、４６Ｄが上側に円弧状に湾曲して形成される。さらに、クリック板４６にはねじ６０が挿通される孔４６Ｂ、４６Ｂが形成されている。ねじ６０は、この孔４６Ｂを挿通させた後、ガイド孔４４Ｂに配置されたネジ固定部５６の雌ねじ５６Ａに螺合される。これにより、クリック板４６と回動レバー４２が固定され、回動レバー４２が基台４４から抜け落ちることが防止される。固定されたクリック板４６と回動レバー４２は、ネジ固定部５６、５６がガイド孔４４Ｂ、４４Ｂの内部を移動する角度範囲で回動自在となる。そして、回動レバー４２を回動させることによってクリック板４６を回動させることができる。クリック板４６が回動されると、板ばね部４６Ｃ、４６Ｃの先端のクリック部４６Ｄ、４６Ｄが、板ばね部４６Ｃ、４６Ｃの弾性力によって基台４４のクリック溝４４Ｄ、４４Ｄ…に係合され、回動方向の位置決めが成されるとともにクリック感が得られる。
【００２２】
中央ボタン４０は略円盤状の押圧操作部５２とその下方に突設された軸部５０とから構成される。軸部５０は断面が略Ｄ状に形成されており、その下端（先端）にはＤ状のつば部５０Ｆが設けられている。つば部５０Ｆは、その一部が軸部５０に対して突出して形成されており、この突出部分がクリック板４６に係合する係合部として作用する（図４参照）。軸部５０の下端面（先端面）には、半球状に突出した突起部５０Ｇが形成されており、後述の電気接触片６２を一点で押圧できるようになっている。
【００２３】
図４は、中央ボタン４０と回動レバー４２を下方から示している。同図に示すように、押圧操作部５２の下面には外縁に沿って凸条部５８、５８が所定の角度範囲で形成されている。この中央ボタン４０の凸条部５８、５８と、前述した回動レバー４２のネジ固定部５６、５６によって、中央ボタン４０の押圧動作の機械的ロック機構が構成される。すなわち、回動レバー４２を回動操作してそのネジ固定部５６、５６を凸条部５８、５８の真下（すなわち機械的ロック位置）に配置すると、中央ボタン４０を押圧操作した際に凸条部５８、５８とネジ固定部５６、５６が当接し、押圧操作が規制される。また、回動レバー４２を回動操作して図４に示す如くネジ固定部５６、５６を、凸条部５８、５８の途切れた位置に配置すると、中央ボタン４０を押圧操作することが可能となる。
【００２４】
スイッチユニット４８は、図２、図３に示すように、金属板から成る三枚の電気接触片６２、６２、６２を有し、この三枚の電気接触片６２、６２、６２が上下に並んで配置されている。電気接触片６２、６２、６２はその先端が中央ボタン４０の軸部５０の下方に配置されるように設けられる。また、電気接触片６２はその基端部が樹脂製のブロック６４に支持され、このブロック６４がねじ７０によって基台４４に固定される。ブロックには端子６６、６６、６６が設けられており、各端子６６はそれぞれ電気接触片６２、６２、６２に電気的に接続される。これらの端子６６は、支持ブロック６４にフレキシブル基板６８を取り付けることによって配線される。上記の如く構成されたスイッチユニット４８は、中央ボタン４０を半押しすることによって、上側の電気切片６２と中間の電気接触片６２が接触し、これによってピント合わせが行われる。また、中央ボタン４０を全押しした際には、中間の電気接触片６２と下側の電気接触片６２が接触し、これによって撮影の実行が行われる。
【００２５】
次に上記の如く構成されたシャッターボタンユニット３４の作用について説明する。
【００２６】
シャッターボタンユニット３４を組み立てる場合、まず、中央ボタン４０と回動レバー４２を基台４４の上に配置する。すなわち、回動レバー４２のネジ固定部５６、５６を基台４４のガイド孔４４Ｂ、４４Ｂに挿入することによって回動レバー４２を基台４４の上に配置し、さらに中央ボタン４０の軸部５０を基台４４の貫通孔４４Ａに挿通させることによって中央ボタン４０を基台４４の上に配置する。その際、軸部５０の突条部５０Ｃを貫通孔４４Ａの切欠き溝４４Ｃに挿入することによって、中央ボタン４０は周方向への回転が防止される。
【００２７】
次に、クリック板４６を基台４４の下側に配置する。すなわち、基台４４の貫通孔４４Ａから突出した中央ボタン４０の軸部５０に、クリック板４６の挿通孔４６Ａを挿通させる。その際、軸部５０の下端に設けたつば部５０の突出部分を、挿通孔４６Ａの切欠き４６Ｆの位置に合わせて、軸部５０を挿通孔４６Ａに挿通させる。次いで、クリック板４６を回動することによって、孔４６Ｂ、４６Ｂとネジ固定部５６、５６の雌ねじ５６Ａ、５６Ａの位置を合わせる。そして、ねじ６０、６０を孔４６Ｂ、４６Ｂに挿通させた後、雌ねじ５６Ａ、５６Ａに螺合させる。これにより、クリック板４６がネジ固定部５６、５６に取り付けられ、クリック板４６と回動レバー４２が固定される。よってクリック板４６は、回動レバー４２が基台４４から抜け落ちることを防止する抜け止め手段として作用する。
【００２８】
また、クリック板４６を回動レバー４２に固定した際、中央ボタン４０のつば部５０Ｆは挿通孔４６Ａの切欠き４６Ｆの位置からずれるため、つば部５０Ｆがクリック板４６に係合される。よって、クリック板４６は、中央ボタン４０が基台４４から抜け落ちることを防止する抜け止め手段として作用する。
【００２９】
以上説明したように本実施の形態のシャッターボタンユニット３４によれば、クリック板４６は、回動レバー４２及び中央ボタンが基台４４から抜け落ちることを防止する抜け止め手段として兼用されるので、回動レバー４２や中央ボタンの抜け止め手段を別途設ける必要がなく、部品点数を減少させることができる。よって、装置を小型化できるとともに、組立工数を減らすことができる。
【００３０】
また、本実施の形態によれば、回動レバー４２とクリック板４６をネジ固定するようにしたので、溶着や係合等の方法で固定した場合に比べて、回動レバー４２とクリック板４６とを強固に固定することができる。したがって、固定の強度不足によってガタツキが発生したり、固定部分が損傷することを防止することができる。
【００３１】
さらに、本実施の形態によれば、ネジ固定のために突出させて厚みを持たせたネジ固定部５６、５６を利用して、中央ボタン４０の押圧操作のロックを行うようにしたので、ロック手段を別途設ける必要がなく、装置を小型化することができる。
【００３２】
なお、上述した実施形態は、回動レバー４２を回動操作することによって中央ボタン４０の押圧操作をロックするようにしたが、回動レバー４２によって作用する機能はこれに限定するものではなく、例えば撮影モードや再生モード等の動作モードを回動レバー４２の回動操作によって切り替えるようにしてもよい。この場合、図５に示すように、クリック板４６に電気接触片４６Ｅ、４６Ｅを設けるとよい。図５に示す電気接触片４６Ｅ、４６Ｅはクリック板４６の外周部分に一体的に形成されている。電気接触片４６Ｅ、４６Ｅの先端は下方に突出して形成されており、クリック板４６を回転させることによって基板７４のパターン７６、７６…に摺動するようになっている。そして、電気接触片４６Ｅとパターン７６が接触して回路が接続された際に、制御装置７８が動作モードを切り替え制御する。このように本発明は、回動することによって機械的或いは電気的に機能を発揮する部材に、回動レバー４２が取り付けられていればよい。なお、中央ボタン４０の押圧動作を電気的にロックするようにしてもよい。
【図面の簡単な説明】
【００３３】
【図１】本発明に係る操作部構造が適用されたカメラの斜視図
【図２】図１のシャッターボタンユニットの構造を示す分解斜視図
【図３】図１のシャッターボタンユニットの縦断面図
【図４】中央ボタンと回動ダイヤルの下面図
【図５】電気切片を有するクリック板を示す斜視図
【符号の説明】
【００３４】
１０…カメラ、３４…シャッターボタンユニット、４０…中央ボタン、４２…回動レバー、４４…基台、４６…クリック板、４８…スイッチユニット、５６…ネジ固定部、５８…板ばね部、６０…ねじ
【図１】
2006179314.tif 000003
【図２】
2006179314.tif 000004
【図３】
2006179314.tif 000005
【図４】
2006179314.tif 000006
【図５】
2006179314.tif 000007